(57)【特許請求の範囲】
【請求項１】
円板状の取付板、この取付板に装着された照明器具、前記取付板に取り付けられたカバー取付部材を有する本体部と、
開口部が前記本体部に着脱自在に係合されて前記照明器具を覆う照明カバー部と
を有する照明装置において、
前記本体部には、前記取付板の周縁部に環状立上部が形成されると共に、前記取付板の外周部に所定間隔をもって複数の前記カバー取付部材が配置され、
前記照明カバー部には、その内縁よりも内側に張り出して前記カバー取付部材をそれらの着脱位置でそれぞれガイドする、前記カバー取付部材と対応して配置された着脱ガイド部が設けられ、
前記カバー取付部材は、前記取付板に固定されるフランジと、このフランジから立ち上がる立上り部と、この立上り部の先端に形成されて前記取付板の外側に延びて前記着脱ガイド部と係合する支持部と、この支持部が前記着脱ガイド部の装着開始位置から装着完了位置に至る間の所定位置を通過したことを報知するための弾性体からなる発音体とを一体形成してなるものであり、
前記着脱ガイド部は、前記照明カバー部の内縁に固定される着脱ガイド部材により形成されるものである
ことを特徴とする照明装置。
【請求項２】
円板状の取付板、この取付板に装着された照明器具、前記取付板に取り付けられたカバー取付部材を有する本体部と、
開口部が前記本体部に着脱自在に係合されて前記照明器具を覆う照明カバー部と
を有する照明装置において、
前記本体部には、前記取付板の周縁部に環状立上部が形成されると共に、前記取付板の外周部に所定間隔をもって複数の前記カバー取付部材が配置され、
前記照明カバー部には、その内縁よりも内側に張り出して前記カバー取付部材をそれらの着脱位置でそれぞれガイドする、前記カバー取付部材と対応して配置された着脱ガイド部が設けられ、
前記カバー取付部材は、前記取付板に固定されるフランジと、このフランジから立ち上がる立上り部と、この立上り部の先端に形成されて前記取付板の外側に延びて前記着脱ガイド部と係合する支持部と、この支持部が前記着脱ガイド部の装着開始位置から装着完了位置に至る間の所定位置を通過したことを報知するための弾性体からなる発音体とを一体形成してなるものであり、
前記着脱ガイド部は、前記照明カバー部の内縁に前記照明カバー部と一体に形成されている
ことを特徴とする照明装置。
【請求項３】
前記カバー取付部材の発音体は、前記フランジに支持されて前記立上り部をフランジ側から外側に貫通して延びるへら状部材からなり、
前記着脱ガイド部の内縁には、内側に突出する突起が形成され、前記発音体は、前記着脱ガイド部に形成された突起に当接したのち解放されることによって発音するものである
ことを特徴とする請求項１又は２記載の照明装置。
【請求項４】
前記着脱ガイド部は、前記照明カバー部を前記カバー取付部材の装着開始位置から装着完了位置にかけて移動させた際に、前記装着完了位置において前記カバー取付部材の支持部と当接して前記照明カバー部の回転を規制するストッパ用突起を形成してなるものであることを特徴とする請求項１〜３のいずれか１項記載の照明装置。
【発明の詳細な説明】
【０００１】
【発明の属する技術分野】
この発明は、シーリングライト等に適用される照明装置に関し、特に照明装置の本体部に、グローブ、セード等の照明カバー部を取り付けるための取付構造に関する。
【０００２】
【従来の技術】
グローブやセード等を照明装置本体部に取り付ける方法としては、従来より回転金具式、回転レバー式、バネ式等が知られているが、これらの方式は、いずれも照明カバー部を本体部の所定位置にセットした状態で、取付用の金具やレバー等を回転させるという作業が必要であり、取付作業が繁雑であるという難点がある。比較的簡単な取付方式としては、回転式、引掛式等が知られている。
【０００３】
このうち回転式は、一般に本体部の外周縁部に所定の間隔で配置されたカバー取付部材を、これと対応して照明カバー部に内縁部から張り出すように配置された着脱ガイド部に引っ掛けて、照明カバー部を回転させることにより、カバー取付部材を着脱ガイド部の所定の装着位置まで移動させて照明カバー部を本体部に取り付ける方式である。この方式では、照明カバー部と本体部との結合が不完全な状態で留まらないようにする必要がある。このため、例えばカバー取付部材が着脱ガイド部にきちっと装着されたことをクリック音で知らせるためのクリック機構が設けられたものも知られている。
【０００４】
【発明が解決しようとする課題】
本発明は、このようなクリック音発生機構付きの回転取付方式の照明装置を更に改良し、コスト低減を図ることが可能な照明装置を提供することを第１の目的とする。
本発明は、また、照明カバー部を本体部に確実に装着することが可能な照明装置を提供することを第２の目的とする。
【０００５】
【課題を解決するための手段】
この目的を達成するため、本発明は、円板状の取付板、この取付板に装着された照明器具、前記取付板に取り付けられたカバー取付部材を有する本体部と、開口部が前記本体部に着脱自在に係合されて前記照明器具を覆う照明カバー部とを有する照明装置において、前記本体部には、前記取付板の周縁部に環状立上部が形成されると共に、前記取付板の外周部に所定間隔をもって複数の前記カバー取付部材が配置され、前記照明カバー部には、その内縁よりも内側に張り出して前記カバー取付部材をそれらの着脱位置でそれぞれガイドする、前記カバー取付部材と対応して配置された着脱ガイド部が設けられ、前記カバー取付部材は、前記取付板に固定されるフランジと、このフランジから立ち上がる立上り部と、この立上り部の先端に形成されて前記取付板の外側に延びて前記着脱ガイド部と係合する支持部と、この支持部が前記着脱ガイド部の装着開始位置から装着完了位置に至る間の所定位置を通過したことを報知するための弾性体からなる発音体とを一体形成してなるものであることを特徴とする。
【０００６】
本発明によれば、本体部の取付板の外周部に所定間隔をもって配置された複数のカバー取付部材の全てに発音体が一体形成されているので、複数のカバー取付部材を共通化することができ、これによる部品のコスト低減を図ることができる。
【０００７】
なお、カバー取付部材の発音体は、例えばフランジに支持されて立上り部をフランジ側から外側に貫通して延びるへら状部材からなり、着脱ガイド部の内縁には、内側に突出する突起が形成され、発音体は、着脱ガイド部に形成された突起に当接したのち解放されることによって発音するものである。このような突起を全ての着脱ガイド部材に形成すれば、本体部と照明カバー部との間に多少のガタが存在した場合でも、いずれかのカバー取付部材の発音体が着脱ガイド部との間でクリック音を生じさせ、照明カバー部の装着完了を確実に報知することができる。
【０００８】
また、着脱ガイド部は、完全装着位置で本体部と照明カバー部との安定な結合を維持するため、照明カバー部をカバー取付部材の装着開始位置から装着完了位置にかけて移動させた際に、装着完了位置においてカバー取付部材の支持部と当接して照明カバー部の回転を規制するストッパ用突起を形成してなるものであることが望ましい。
【０００９】
着脱ガイド部は、照明カバー部の内縁に固定される着脱ガイド部材により形成されるものであっても良いし、照明カバー部の内縁に前記照明カバー部と一体に形成されているものでも良い。
【００１０】
【発明の実施の形態】
以下、添付の図面を参照して本発明の好ましい実施の形態について説明する。
図１は、本発明の一実施例に係るシーリングライトの照明カバー部の下側を切り取ったところを下側から見た平面図、図２は、同シーリングライトの図１におけるＡ−Ａ′拡大部分断面図である。
このシーリングライトは、図示しない取付金具を介して天井に取り付けられた本体部１と、この本体部１に着脱自在に装着される照明カバー部２とから構成されている。
【００１１】
本体部１は、円板状の取付板４と、この取付板４の上面の外周からやや内側に入ったところに装着されて天井と本体部１とを密着させる環状のパッキン３と、取付板４の下面の外周部の周方向３カ所に、例えば１２０°の角度をもって配置された３つのカバー取付部材５と、取付板４の中央に装着されて本体部１を天井に固定する機能及び電源との接続機能を有するシーリングアダプタ６、このシーリングアダプタ６の周りに配置された反射カバー７と、この反射カバー７にランプソケット８及びランプホルダ９を介して装着された丸形蛍光灯１０，１１と、反射カバー７の内側に配置された保安球１２とを備えて構成されている。取付板４の外周部には、下方に突出するように環状立上部１４が形成されている。環状立上部１４の上端縁部は、外側に折り返されて丸みが付与されている。
【００１２】
３つのカバー取付部材５は、例えば図３に示すように、取付板４に固定するための矩形板状のフランジ２１と、このフランジ２１の外側の縁部から立ち上がる立上り部２２と、この立上り部２２の先端から外向きに延びる支持部２３と、クリック音の発生用の発音体２４とを樹脂で一体に形成してなるものである。立上り部２２には、その中央に上下に延びるスリット２５が形成されている。発音体２４は、その基端部がフランジ２１から立設され、その先端部がへら状に薄くなって立上り部２２のスリット２５を水平方向に貫通して立上り部２２から外側に突出している。立上り部２２の両側は、円弧状に延長されてスロープ部２６を形成している。立上り部２２とスロープ部２６の境とフランジ２１との間には、補強用のリブ２７が形成されている。支持部２３の両側縁部は、後述する着脱ガイド部材３１との係合をスムーズならしめるため、フランジ２１とは反対側に若干折り返した形状となっている。支持部２３の着脱ガイド部材３１と対向する側の面には、突起２８が突設されている。
【００１３】
一方、照明カバー部２の内縁部には、取付板４の環状立上部１４の内側に嵌合する環状立上部１５が形成されており、この内縁部にカバー取付部材５と対応する３箇所に着脱ガイド部材３１が取り付けられている。着脱ガイド部材３１は、照明カバー部２の内周縁部に固定するための円弧板状のフランジ３２と、このフランジ３２から環状立上部１５の内周面に沿うように立上る立上げ部３３を樹脂で一体に形成してなるものである。図４は、カバー取付部材５と着脱ガイド部材３１との結合状態を示している。着脱ガイド部材３１のフランジ３２の立上げ部３３と反対側の面の内周側は、カバー取付部材５の支持部２３と係合されるガイド部を構成しており、一方の端部が装着開始位置３４、他方の端部が装着完了位置３５となっている。ガイド部は、装着開始位置３４から装着完了位置３５の手前の位置まで徐々に厚みが増すスロープ３６となっており、スロープ３６の入口部にカバー取付部材５と着脱ガイド部材３１との装着開始を知らせる肉厚部３７が形成されている。着脱ガイド部材３１の装着完了位置３５側の端部には、回転ストッパ３８が突設されている。着脱ガイド部材３１の装着完了位置３５の手前の内周縁部には、カバー取付部材５の発音体２４の先端に当接して発音体２４でクリック音を生じさせるための突起３９が形成されている。
【００１４】
このような構成であると、カバー取付部材５と着脱ガイド部材３１の周方向位置をずらした状態で、本体部１に対して照明カバー部２を下側からはめ込んで、照明カバー部２を図４のＸで示す向きに回転させると、カバー取付部材５の支持部２３が着脱ガイド部３１の装着開始位置３４から肉厚部３７で多少の抵抗感を伴ってスロープ３６に乗り上げ、照明カバー部２を更に回転させると、カバー取付部材５の発音体２４の先端と、着脱ガイド部材３１の内周縁部の突起３９とが干渉して発音体２４からクリック音が発生する。カバー取付部材５が着脱ガイド部材３１の装着完了位置３５に至ると、カバー取付部材５の支持部２３の側縁が着脱ガイド部材３１のストッパ３８に当接し、ここで照明カバー部２の本体部１に対する取付が完了する。このとき、支持部２３の裏面の突起２８は、本体部１と照明カバー部２との密着性を高めるように作用する。
【００１５】
一方、照明カバー部２を本体部１から取り外すには、図４における照明カバー部２を図４のＹで示す方向に回転させればよい。この場合でも、発音体２４が突起３９を通過する際にクリック音が発生するので、照明カバー部２が完全装着状態から脱したことが容易に分かる。
【００１６】
この実施例の照明装置によれば、本体部１の取付板４の外周部に所定間隔をもって配置された３つのカバー取付部材５の全てに発音体２４が一体形成され、３つの着脱ガイド部材３１の全てに突起３９が形成されているので、本体部１と照明カバー部２との間に多少のガタが存在した場合でも、いずれかのカバー取付部材５の発音体２４が着脱ガイド部材３１との間で確実にクリック音を生じさせ、照明カバー部２の装着完了を確実に報知することができる。また、複数のカバー取付部材５及び着脱ガイド部材３１を共通化することで、部品のコスト低減も同時に図ることができる。
【００１７】
図５は、本発明の他の実施例に係る照明装置の部分断面図、図６は、同照明装置に使用されるカバー取付部材４１を示す斜視図である。なお、図５及び図６において、図２及び図３と同一部分には、同一符号を付して重複する部分の説明は割愛する。
この実施例では、カバー取付部材４１のフランジ４２の基端部を扇の要状に延ばして本体部１へのネジ止め固定部４４を形成し、本体部１の取付板４への反射カバー７の取付孔とカバー取付部材４１の取付板４への取付孔４５を共用して、取付ネジと取付工数を減らし、コスト低減を図っている。また、カバー取付部材４１のフランジ４２の下面には、１又は複数のフック部４３が形成され、このフック部４３が取付板４に形成された孔に係合することにより、１つのカバー取付部材４１について１本のネジだけで取付板４との強固な結合状態を得ることができる。
【００１８】
なお、以上の実施例では、着脱ガイド部として、照明カバー部２の内縁に固定される着脱ガイド部材３１を用いたが、着脱ガイド部は、照明カバー部２の内縁に照明カバー部２と一体に形成されているものでも良い。
【００１９】
【発明の効果】
以上述べたように、本発明によれば、本体部の取付板の外周部に所定間隔をもって配置された複数のカバー取付部材の全てに発音体が一体形成されているので、本体部と照明カバー部との間に多少のガタが存在した場合でも、いずれかのカバー取付部材の発音体が着脱ガイド部との間でクリック音を生じさせ、照明カバー部の装着完了を確実に報知することができる。また、複数のカバー取付部材を共通化することができるので、部品のコスト低減も図ることができるという効果を奏する。
【図面の簡単な説明】
【図１】  本発明の一実施例に係るシーリングライトの照明カバー部の下側を切断して下からみた平面図である。
【図２】  図１のＡ−Ａ′拡大断面図である。
【図３】  同シーリングライトのカバー取付部材を示す斜視図である。
【図４】  同シーリングライトのカバー取付部材と着脱ガイド部材との結合状態を示す斜視図である。
【図５】  本発明の他の実施例に係るシーリングライトの拡大断面図である。
【図６】  同シーリングライトのカバー取付部材を示す斜視図である。
【符号の説明】
１…本体部、２…照明カバー部、３…パッキン、４…取付板、５，４１…カバー取付部材、２１，４２…フランジ、２２…立上り部、２３…支持部、２４…発音体、３１…着脱ガイド部材。
【図１】
0004378036.tif 000002
【図２】
0004378036.tif 000003
【図３】
0004378036.tif 000004
【図４】
0004378036.tif 000005
【図５】
0004378036.tif 000006
【図６】
0004378036.tif 000007